(57)【要約】【課題】装着された１つの充電式バッテリから供給される電力により、吸引ファンを回転させる駆動モータとノズル装置の小型モータとの両方にモータに好ましく電力供給する。【解決手段】連結部４３にはノズル駆動モータ６１を内装するノズル装置５０が取り付けられている。このノズル駆動モータ６１は、充電式バッテリから給電されて回転駆動する。ここで、クリーナ本体１１には、降圧回路３７を有する制御基板３６が設けられる。この制御基板３６、排気風（吸引風）流れる流路に配置されている。降圧回路３７は、充電式バッテリからの供給電力の電圧を下げるように変換して、ノズル装置５０に内装されるノズル駆動モータ６１に給電可能とする。つまり、吸引ファンを回転させる本体駆動モータ３２に給電する充電式バッテリから電圧を下げてノズル装置５０に内装されるノズル駆動モータ６１に給電することができる。【選択図】図４
2015202332.tif 000002
【特許請求の範囲】
【請求項１】
充電式バッテリが電力源としてクリーナ本体に装着される手持ち式クリーナであって、
吸込み部にはノズル駆動モータを内装するノズル装置が取付け可能にされており、
前記クリーナ本体には、前記充電式バッテリからの供給電力の電圧を変換して前記ノズル装置に内装される前記ノズル駆動モータに給電可能とする電圧変換部が設けられている、ことを特徴とする手持ち式クリーナ。
【請求項２】
請求項１に記載の手持ち式クリーナにおいて、
前記クリーナ本体には、前記充電式バッテリから電力が供給されてモータ軸を回転駆動させる本体駆動モータと、該モータ軸に取り付けられて吸引風を発生させる吸引ファンと、を備え、
前記電圧変換部は、前記吸引風が流れる流路に配置されている、ことを特徴とする手持ち式クリーナ。
【請求項３】
請求項１または請求項２に記載の手持ち式クリーナにおいて、
前記クリーナ本体には、前記本体駆動モータに前記充電式バッテリからの電力を供給するため各種の配線が集約される制御基板が設けられており、
前記電圧変換部は、前記制御基板に設けられている、ことを特徴とする手持ち式クリーナ。
【請求項４】
ノズル駆動モータと、吸引ファンを回転させる本体駆動モータと、を有する手持ち式クリーナにおいて、
電動工具用のバッテリにより、前記ノズル駆動モータと前記本体駆動モータとの両者に給電するようにした、ことを特徴とする手持ち式クリーナ。
【発明の詳細な説明】
【技術分野】
【０００１】
この発明は、電力源として充電式バッテリが使用される手持ち式クリーナに関する。詳しくは、吸込み部にノズル装置が取り付けられる手持ち式クリーナに関する。
【背景技術】
【０００２】
従来、車室内や居室などの清掃に使用される手持ち式クリーナとして、いわゆるハンディクリーナが知られている（例えば、特許文献１参照）。この種のハンディクリーナは、駆動モータと吸引ファンとを備え、電力源として充電式バッテリが使用される。駆動モータは、吸引ファンを回転させて吸引風を生じさせ、ノズルから粉塵を吸引して集塵ハウジングに粉塵を溜める。また、この種のハンディクリーナは、一般にバッテリパックと称される充電式バッテリが装着される。このような充電式バッテリは、専用の充電器にて充電されてハンディクリーナのクリーナ本体に着脱可能にされている。
【０００３】
この種のハンディクリーナは、一般的にパワーノズルと称されるノズル装置が取り付けられることがある。このようなノズル装置は、吸い込み口に取り付けられるものであり、一般に小型モータとローラ体とを備える。小型モータは、吸引ファンを回転させる駆動モータとは別個で設けられて回転駆動力を発生する。ローラ体は、回転ブラシにて形成される。これら小型モータおよびローラ体は、ノズルハウジングの内部に収容されて装置される。このノズル装置の小型モータにあっては、クリーナ本体の駆動モータと比較して、駆動出力が小さく設定されている。なお、この小型モータは、軽量化などの観点から、吸引ファンを回転させる駆動モータに電力供給する充電式バッテリから電力供給されるようにしておきたい。
【先行技術文献】
【特許文献】
【０００４】
【特許文献１】特開２０１０−２２０６３２号公報
【発明の概要】
【発明が解決しようとする課題】
【０００５】
ところで、上記したクリーナ本体にあっては、７．２ボルト、１０．８ボルト、１４．４ボルト、１８ボルトなどの複数種類の電圧の充電式バッテリを装着させるようにしておきたい。しかしながら、このような複数種類の電圧の充電式バッテリを装着できるようにしてあると、上記した小型モータが熱を帯びてしまい易く、製品寿命を短くしてしまいかねない。
【０００６】
本発明は、このような事情に鑑みなされたものであって、本発明が解決しようとする課題は、ノズル装置が取り付けられる手持ち式クリーナにおいて、電力源として複数種類の電圧の充電式バッテリを装着可能にされつつ、装着された１つの充電式バッテリから供給される電力により、吸引ファンを回転させる駆動モータとノズル装置の小型モータとの両方のモータに好ましく電力供給できるようにすることにある。
【課題を解決するための手段】
【０００７】
上記した課題を解決するために、本発明に係る手持ち式クリーナは次の手段をとる。本発明の第１の発明は、充電式バッテリが電力源としてクリーナ本体に装着される手持ち式クリーナであって、吸込み部にはノズル駆動モータを内装するノズル装置が取付け可能にされており、前記クリーナ本体には、前記充電式バッテリからの供給電力の電圧を変換して前記ノズル装置に内装される前記ノズル駆動モータに給電可能とする電圧変換部が設けられている、ことを特徴とする。
【０００８】
この第１の発明によれば、クリーナ本体に設けられる電圧変換部により、充電式バッテリからの供給電力の電圧を変換してノズル装置に内装されるノズル駆動モータに給電することができる。つまり、吸引ファンを回転させる本体駆動モータに給電する充電式バッテリから電圧を変換してノズル装置に内装されるノズル駆動モータに給電する。これによって、小型モータにて構成されるノズル駆動モータに例えば低い電圧の電力を供給させることができ、このノズル駆動モータの製品としての寿命を延ばすことができる。したがって、クリーナ本体に複数種類の電圧の充電式バッテリを装着する場合であっても、ノズル駆動モータに好ましい電圧の電力を供給することができて、クリーナ本体に内装されて吸引ファンを回転させる通常の大きさの本体駆動モータと、ノズル装置に内装されて回転ブラシを回転させる小型の大きさのノズル駆動モータとの、両方の駆動モータに対して好ましく電力を供給することができる。
【０００９】
本発明の第２の発明は、前記第１の発明に係る手持ち式クリーナにおいて、前記クリーナ本体には、前記充電式バッテリから電力が供給されてモータ軸を回転駆動させる本体駆動モータと、該モータ軸に取り付けられて吸引風を発生させる吸引ファンと、を備え、前記電圧変換部は、前記吸引風が流れる流路に配置されている、ことを特徴とする。この第２の発明によれば、電圧変換部は吸引風が流れる流路に配置されているので、この吸引風を電圧変換部に当てて冷却することができる。これによって、発熱した電圧変換部の熱を取り除くことができて、電圧変換部の状態を好ましい状態に維持することができる。
【００１０】
本発明の第３の発明は、前記第１または前記第２の発明に係る手持ち式クリーナにおいて、前記クリーナ本体には、前記本体駆動モータに前記充電式バッテリからの電力を供給するため各種の配線が集約される制御基板が設けられており、前記電圧変換部は、前記制御基板に設けられている、ことを特徴とする。この第３の発明によれば、電圧変換部は、各種の配線が集約される制御基板に設けられているので、電圧変換部を制御基板と別に設けることを要さない。つまり、電圧変換部をコンパクトに配設できて、ハンディクリーナ全体としての大きさのコンパクト化を図ることができる。
【００１１】
本発明の第４の発明は、ノズル駆動モータと吸引ファンを回転させる本体駆動モータとを有する手持ち式クリーナにおいて、電動工具用のバッテリにより前記ノズル駆動モータと前記本体駆動モータとの両者に給電するようにした、ことを特徴とする。この第４の発明によれば、広く利用される電動工具用のバッテリによりノズル駆動モータと本体駆動モータとの両者に給電できるので、クリーナ本来の作用目的を高めることができる上、クリーナの電源を確保するための利便性も高めることができる。
【図面の簡単な説明】
【００１２】
【図１】ハンディクリーナの外観全体を示す斜視図である。
【図２】図１に示すハンディクリーナを側面で視た側面図である。
【図３】図１の(III)-(III)断面矢視を示すハンディクリーナの断面図である。
【図４】図２の(IV)-(IV)断面矢視を示すハンディクリーナの断面図である。
【図５】図１に示すハンディクリーナを上面面で視た上面図である。
【図６】降圧回路の例を模式的に示す回路図である。
【図７】全体回路の例を模式的に示す回路図である。
【発明を実施するための形態】
【００１３】
次に、本発明に係る実施の形態を図１〜図５を参照しながら説明する。図１に示す符号１０は、本発明に係る手持ち式クリーナに相当するハンディクリーナである。すなわち、図１の斜視図では、ハンディクリーナ１０の外観全体を示している。図２の側面図では、
図１に示すハンディクリーナ１０を側面で視ている。図３の断面図では、図１の(III)-(III)断面矢視のハンディクリーナ１０を示している。図４の断面図では、図２の(IV)-(IV)断面矢視のハンディクリーナ１０を示している。図５の上面図は、図１に示すハンディクリーナ１０を上面面で視ている。なお、以下の説明では、図中に記載される方向を用いてハンディクリーナ１０を説明する。ハンディクリーナ１０は、ユーザが手で持ちながら掃除をするためのものである。ハンディクリーナ１０には、電力源として充電式バッテリ７０が着脱可能になっている。
【００１４】
充電式バッテリ７０は、充電残量が少なくなるとクリーナ本体１１から取り外されて専用の充電器にて充電されて再びクリーナ本体１１に取り付けられる。ハンディクリーナ１０は、概略、クリーナ本体１１と、ノズル装置５０と、充電式バッテリ７０とを備える。なお、この充電式バッテリ７０は、電動工具の電源として広く利用されるものであり、工具本体に着脱可能な充電式のバッテリである。クリーナ本体１１は、概略、外装ハウジング２１と、吸引風発生機構３１とを備える。外装ハウジング２１は、樹脂で成形された半割りハウジング品同士を互いに合体させることにより形成される。外装ハウジング２１は、後に説明する吸引風発生機構３１を内蔵しつつハンディクリーナ１０としての構造も有する。
【００１５】
外装ハウジング２１は、前側から、集塵部２２と、装置支持部２４と、ハンドル部２５と、バッテリ装着部２６とを備える。集塵部２２は、ダストを収容しておくことが可能なハウジング構造を有する。集塵部２２は、外装ハウジング２１の内部側に区画部２２１を設けて形成される。区画部２２１の前側には、吸込み口２２３が設けられている。吸込み口２２３は、外部から内部に外気を吸引するために外部と内部とを連通する連通開口部として設定される。この外気の吸引は、後に説明する吸引風発生機構３１によりなされる。集塵部２２には、吸引された外気に混入されるダストを集めるためのフィルタ機能が設けられている。このため、吸込み口２２３から吸引された外気は、混入されるダストを集塵部２２で収容させ、その後に吸引風発生機構３１を通じて排気口２８から外部に排気される。
【００１６】
なお、この区画部２２１にて形成される集塵部２２の空間範囲には、適宜のダスト袋を取り付けられるものであってもよい。このようにダスト袋が取り付けられた場合には、このダスト袋自体に上記したフィルタ機能が設けられて、吸引された外気に混入されるダストを集めるようにされる。区画部２２１の上側には、集塵部２２を開け閉めする開閉カバー２２５が設けられている。この開閉カバー２２５は、ダスト袋を含む集塵部２２に溜まったダストをゴミとして外部に取出し可能に開け閉めされる。開閉カバー２２５の前側には、開閉カバー２２５を開けるための押しボタン２２７が設けられている。押しボタン２２７を押すと、適宜の係止が解除されて適宜のばね付勢により開閉カバー２２５は自動的に開けられる。
【００１７】
集塵部２２の前端の吸込み口２２３には、延長パイプ体４０を取付け可能とする連結部２３が設けられている。この連結部２３は、クリーナ本体１１の吸込み口２２３の前端部分として設定される。連結部２３は、後に説明する延長パイプ体４０の被連結部４１を連結保持する部分として設定される。連結部２３は、概略、支持パイプ部２３３と係止フック部２３５と解除ボタン２３７とを備える。支持パイプ部２３３は、中空パイプ形にて形成される。この支持パイプ部２３３は、吸込み口２２３の前端から前側に延び出るように形成されている。この支持パイプ部２３３の前端には、解除ボタン２３７と一体に形成される係止フック部２３５が取り付けられている。
【００１８】
この係止フック部２３５は、延長パイプ体４０の被連結部４１に設けられる凹溝部４２に係止するフック形状を有する。この係止フック部２３５は、適宜の付勢ばねによりフック係止方向で常時付勢されている。これにより、被連結部４１が連結部２３に連結される位置に位置している場合に、係止フック部２３５は被連結部４１に設けられる凹溝部４２に係止することとなる。これに対し解除ボタン２３７は、係止フック部２３５の凹溝部４２の係止を解除操作するためのものである。具体的には、解除ボタン２３７を押下すると、それまで凹溝部４２に係止されていた係止フック部２３５の凹溝部４２への係止を凹溝部４２から外すように動かす。これにより、それまで連結されていた被連結部４１の連結部２３に対する連結を解除して互いを切り離すことができる。
【００１９】
装置支持部２４は、後に説明する吸引風発生機構３１を支持するための内部区画構造を有する。この装置支持部２４の後部の左右両側には、外部に連通する排気口２８が設けられている。排気口２８は、上記したように吸引風発生機構３１により吸引された外気を外装ハウジング２１の内部から外部に排気可能とする。この排気口２８は、外装ハウジング２１に対して前後に延びるスリットを複数並列させることにより形成されている。ハンドル部２５は、前後に延びる輪状（ループ形状）をなしている。ハンドル部２５の上部には操作部２５１が設けられている。操作部２５１は、オフボタン２５３とオンボタン２５４とを備える。これらオフボタン２５３とオンボタン２５４とを含む操作部２５１は、ハンドル部２５を手握りした状態で操作入力可能に設定されている。
【００２０】
これらオフボタン２５３とオンボタン２５４は、押下することにより操作入力される電気接点スイッチにて構成される。オフボタン２５３とオンボタン２５４は、後に説明する制御基板３６に電気的に接続されている。このため、オフボタン２５３とオンボタン２５４への操作入力は、制御基板３６に送信される。なお、オフボタン２５３は、押下されるとクリーナとしての吸引をオフとするように制御基板３６にオフ制御信号を送信する。オフ制御信号を受けた制御基板３６は、本体駆動モータ３２への電力の供給を止める。オンボタン２５４は、押下されるとクリーナとしての吸引をオンとするように制御基板３６にオン制御信号を送信する。オン制御信号を受けた制御基板３６は、本体駆動モータ３２への電力の供給をする。なお、このオン制御信号には、クリーナとしての吸引力の強弱度合いを切り替える制御信号も含まれる。すなわち、制御基板３６は、オンボタン２５４の押下回数に応じて本体駆動モータ３２に供給する単位時間当たりの電力量を変更する。このため、本体駆動モータ３２の回転数の高低が決まって吸引風の強さとなる吸引力の強弱が決まる。つまり、オンボタン２５４は、吸引力の強弱切替ボタンとしての機能も有する。
【００２１】
操作部２５１の前側には、お知らせランプ２５５が設けられている。お知らせランプ２５５は、ＬＥＤ(light emitting diode)ランプにより構成され、後に説明する制御基板３６に電気的に接続されている。お知らせランプ２５５は、制御基板３６からの制御電力に基づいて点灯あるいは点滅する。なお、制御基板３６は、充電式バッテリ７０の充電残量に基づき、お知らせランプ２５５に点灯あるいは点滅させる制御電力を送る。また、お知らせランプ２５５の更に前側には、照明用ランプ２５７が設けられている。照明用ランプ２５７も、ＬＥＤランプにより構成され、制御基板３６に電気的に接続されている。この照明用ランプ２５７も、制御基板３６からの制御電力に基づいて点灯する。なお、制御基板３６は、本体駆動モータ３２への電力の供給に基づき、照明用ランプ２５７に点灯させる制御電力を送る。なお、ハンドル部２５の外周面には滑り止め用エラストマ２５９が取り付けられており、ハンドル部２５の後部には不使用時に引掛けておくためのストラップ２６３が取り付けられている。
【００２２】
ハンドル部２５の下側には、バッテリ装着部２６が設けられている。バッテリ装着部２６には、充電式バッテリ７０が装着される。バッテリ装着部２６への充電式バッテリ７０の装着は、充電式バッテリ７０をバッテリ装着部２６に対して後側から前側に向けて相対的に動かすことによる。逆に、バッテリ装着部２６からの充電式バッテリ７０の取外しは、充電式バッテリ７０をバッテリ装着部２６に対して前側から後側に向けて相対的に動かすことによる。図示例の充電式バッテリ７０は、いわゆるスライド装着形式の充電式バッテリであり、供給電力の電圧が１４．４ボルトに設定されるものである。このため、図示例のバッテリ装着部２６は、この充電式バッテリに対応したスライド装着形式にて構成されている。
【００２３】
具体的には、バッテリ装着部２６は、充電式バッテリ７０のスライド装着をガイドするスライドレール２６１が設けられている。なお、本発明に係る充電式バッテリやバッテリ装着部にあっては、図示例の充電式バッテリ７０やバッテリ装着部２６に限定されることなく、適宜の構成を選択することができる。つまり、本発明に係る充電式バッテリにあっては、電圧が７．２ボルトや１０．８ボルトに設定される差込装着形式で構成されるものであってもよく、また、電圧が１８ボルトに設定されるスライド装着形式で構成されるものであってもよい。
【００２４】
吸引風発生機構３１は、概略、本体駆動モータ３２と吸引ファン３３とを備える。本体駆動モータ３２は、広く利用される電動ブラシモータにて構成される。本体駆動モータ３２も、後に説明する制御基板３６に電気的に接続されて電力が供給可能となっている。電力が供給された本体駆動モータ３２は、モータ軸３２１を回転駆動させる。このモータ軸３２１には吸引ファン３３が取り付けられている。吸引ファン３３は、広く利用される遠心式ファンにて構成される。この吸引ファン３３の前側には気流ガイド部材３４が配置されている。
【００２５】
この吸引ファン３３は、モータ軸３２１を回転軸として回転する。回転した吸引ファン３３は、気流ガイド部材３４によりモータ軸３２１の軸方向で吸気して遠心方向で排気する。このようにして外装ハウジング２１の内部において前側から後側へ送風するように作用する。この送風作用は、吸込み口２２３から外気を吸気して外装ハウジング２１の内部を通気して排気口２８より外部に排気する。なお、左右両側に開口される排気口２８の内周面にはフィルタ部材３５が取り付けられている。このフィルタ部材３５は、外部と連通する排気口２８の開口範囲に亘って設けられている。
【００２６】
本体駆動モータ３２の後側の排気口２８同士の間には、排気口２８に排気風（吸引風）を流すための空間Ｓが設けられている。この空間Ｓは、吸引風が流れる流路として設定される。この空間Ｓを形成する外装ハウジング２１には、各種の制御を行う制御基板３６が固定されている。この制御基板３６は、通常の制御基板と同様に電材部品が組み込まれている。この制御基板３６は、主として本体駆動モータ３２の駆動制御を行う。具体的には、制御基板３６は、上記したバッテリ装着部２６、操作部２５１、本体駆動モータ３２に対して配線部材（不図示）を介して電気的に接続されている。これにより、制御基板３６は、操作部２５１（オフボタン２５３、オンボタン２５４）の操作入力を受けて、バッテリ装着部２６に装着された充電式バッテリ７０から給電される電力を本体駆動モータ３２に供給する。
【００２７】
また、この制御基板３６は、上記したお知らせランプ２５５、照明用ランプ２５７に対して配線部材（不図示）を介して電気的に接続されている。これにより、制御基板３６は、充電式バッテリ７０の充電残量に基づいてお知らせランプ２５５を点灯あるいは点滅させる制御電力を送ったり、操作部２５１の操作入力に基づいて照明用ランプ２５７を点灯させる制御電力を送ったりする。つまり、制御基板３６には、このような各種の配線が集約されるように、不図示の配線部材を介して電気的に接続されている。
【００２８】
次に、上記した連結部２３に連結される延長パイプ体４０について説明する。延長パイプ体４０は、ハンディクリーナ１０にて立ちながら床の掃除ができるようにクリーナ本体１１とノズル装置５０との距離を隔てるために用いられる。この延長パイプ体４０は、基端側がクリーナ本体１１と連結され、先端側がノズル装置５０と連結される。すなわち、延長パイプ体４０は、吸引可能な長い中空パイプ形に形成されている。延長パイプ体４０は、基端側に被連結部４１が設けられており、先端側に連結部４３が設けれている。基端側の被連結部４１は、上記したクリーナ本体１１の連結部２３に連結される箇所に設定される。この被連結部４１には、適宜に溝形に切り欠かれるようにして凹溝部４２が設けられている。この凹溝部４２には、上記した連結部２３の係止フック部２３５が係止可能となっている。これに対して先端側の連結部４３は、上記したクリーナ本体１１の吸込み口２２３に設けられる連結部２３と略同一に形成される。
【００２９】
延長パイプ体４０の連結部４３は、次に説明するノズル装置５０の被連結部５１を連結可能に設定されている。すなわち、延長パイプ体４０の連結部４３も、概略、支持パイプ部４３３と係止フック部４３５と解除ボタン４３７とを備える。支持パイプ部４３３は、中空パイプ形にて形成される。この支持パイプ部４３３の前端には、解除ボタン４３７と一体に形成される係止フック部４３５が取り付けられている。この係止フック部４３５は、ノズル装置５０の被連結部５１に設けられる凹溝部５２に係止するフック形状を有する。この係止フック部４３５は、適宜の付勢ばねによりフック係止方向で常時付勢されている。これにより、被連結部５１が連結部４３に連結される位置に位置している場合に、係止フック部４３５は被連結部５１に設けられる凹溝部５２に係止することとなる。
【００３０】
これに対して解除ボタン４３７は、係止フック部４３５の凹溝部５２の係止を解除操作するためのものである。具体的には、解除ボタン４３７を押下すると、それまで凹溝部５２に係止されていた係止フック部４３５の凹溝部５２への係止を凹溝部５２から外すように動かす。これにより、それまで連結されていた被連結部５１の連結部２３に対する連結を解除して互いを切り離すことができる。
【００３１】
次に、ノズル装置５０について説明する。ノズル装置５０は、広く利用される床用吸込み口を構成する床用吸込み装置である。このノズル装置５０は、広く利用されるパワーノズル（通称）と同様に構成される。このノズル装置５０は、外観視略Ｔ字形をなして形成される。ノズル装置５０は、概略、被連結部５１と装置本体５３とを備える。被連結部５１は、上記した延長パイプ体４０の基端側に設けられる被連結部４１と略同一に形成される。ノズル装置５０の被連結部５１は、上記した延長パイプ体４０の連結部４３に連結される箇所に設定される。この被連結部５１には、適宜に溝形に切り欠かれるようにして凹溝部５２が設けられている。この凹溝部５２には、上記した連結部４３の係止フック部４３５が係止可能となっている。
【００３２】
なお、このノズル装置５０の被連結部５１は、上記した延長パイプ体４０の被連結部４１と略同一に形成されるため、上記したクリーナ本体１１の連結部２３に対して延長パイプ体４０を介さずに直接連結させることも可能である。このように形成される被連結部５１の前側には装置本体５３が連接して設けられている。また、このノズル装置５０は、通常のクリーナと同様、被連結部５１と装置本体５３とが相対的に可動とされる可動ジョイント構造を有して結合されている。ここで配線部材３８は、被連結部５１に対して装置本体５３を相対的に（例えば上下方向で）可動する構成のために、屈曲性能の高い細線多芯リード線を用いるものとなっている。この細線多芯リード線としては、φ０．０５ミリの素線３８本を撚って撚線とし、さらにこの撚線７本を撚って１本のリード線とするものである。また、このリード線の被覆には、シリコンが材料として用いられている。このように、被連結部５１に対する装置本体５３を相対的に可動に対応して、リード線の断線を抑える考慮がなされている。
【００３３】
装置本体５３は、概略、吸込ハウジング５４と、ノズル駆動モータ６１と、回転ブラシ体６５と、操作スイッチ６７とを備える。吸込ハウジング５４は、広く利用される床用吸込み装置と同様、左右幅が長く設定されて効率が良い吸引が可能となっている。この吸込ハウジング５４の内部は、上記した被連結部５１の中空内部と連通していると共に、外部に向けて開口される吸引開口部５６にも連通している。このため、外部からの吸込みが可能な吸引開口部５６は、吸込ハウジング５４の内部を介して被連結部５１の中空内部に連なっている。この吸込ハウジング５４の内部には、通常のパワーノズルと同様、ノズル駆動モータ６１と回転ブラシ体６５とが設けられている。
【００３４】
ノズル駆動モータ６１は、通常のパワーノズルに内装される駆動モータと同様、小型のブラシモータにて構成される。このノズル駆動モータ６１は、モータ寿命の観点から６ボルト電圧の電力が供給されることが好ましいものとなっている。電力が供給されたノズル駆動モータ６１は、不図示のモータ軸を回転駆動させる。回転ブラシ体６５も、通常のパワーノズルに内装される回転ブラシ体と同様、回転可能な棒状をなす基体６５１に対して適宜の植毛６５２がなされてブラシ形となっている。この回転ブラシ体６５の回転軸をなす基体６５１は、上記したノズル駆動モータ６１のモータ軸６２と適宜のギアを介して噛合されて連動される。なお、この回転ブラシ体６５の基体６５１を回転させるにあたっては、このような適宜のギアの噛合に代え、モータ軸６２と基体６５１との両者に跨る無端ベルトにより連動させるものであってもよい。これにより、回転ブラシ体６５は、ノズル駆動モータ６１により生じる回転駆動を受けて回転する。操作スイッチ６７は、次に説明するノズル配線部材３８３（配線部材３８）に対して設けられている。
【００３５】
ところで、制御基板３６には、上記したノズル駆動モータ６１に電力供給するための配線がされている。すなわち、制御基板３６には降圧回路３７が設けられている。この降圧回路３７は、本発明に係る電圧変換部に相当する。この降圧回路３７は、充電式バッテリ７０からの供給電力の電圧を下げるように変換して、ノズル装置５０に内装されるノズル駆動モータ６１に給電可能とする。なお、図６の回路図は、この降圧回路３７の例を模式的に示すものである。また、図７の回路図は、ハンディクリーナ１０全体回路の例を模式的に示すものである。つまり、降圧回路３７に関しては図６の例に倣って構成されることとなる。また、ノズル装置５０のノズル駆動モータ６１に関しては図７の例に倣って構成されることとなる。このため、制御基板３６には、ノズル装置５０のノズル駆動モータ６１に電気的に接続するための配線部材３８が延ばされている。すなわち、配線部材３８は、クリーナ本体１１の内部で配線される本体配線部材３８１と、延長パイプ体４０において配線される延長配線部材３８２と、ノズル装置５０において配線されるノズル配線部材３８３とを備える。なお、降圧回路３７としては、ＤＣ−ＤＣコンバータを利用することで、他の方式の降圧回路に比べて発熱量を抑えることができる。
【００３６】
なお、これらの配線部材３８１，３８２，３８３同士の間で互いの配線部材３８１，３８２，３８３同士を連結する間には、互いの端部に設けられる接続端子３９により接続される。すなわち、連結部２３と被連結部４１との間では、連結部２３の接続端子３９１が、被連結部４１の接続端子３９２と結合する。また、連結部４３と被連結部５１との間では、連結部４３の接続端子３９３が、被連結部５１の接続端子３９４と結合する。また、操作スイッチ６７は、ノズル配線部材３８３の間に設けられている。この操作スイッチ６７は、この操作スイッチ６７は、ノズル駆動モータ６１への電力供給のオンオフを操作するものである。このため、操作スイッチ６７は、ノズル配線部材３８３の電気的接続状態を維持したり、ノズル配線部材３８３の電気的接続状態を分断したりする。
【００３７】
上記した実施の形態のハンディクリーナ１０によれば、次の作用効果を奏することができる。すなわち、このハンディクリーナ１０によれば、クリーナ本体１１に設けられる降圧回路３７により、充電式バッテリ７０からの供給電力の電圧を下げるように変換してノズル装置５０に内装されるノズル駆動モータ６１に給電することができる。つまり、吸引ファン３３を回転させる本体駆動モータ３２に給電する充電式バッテリ７０から電圧を下げてノズル装置５０に内装されるノズル駆動モータ６１に給電する。これによって、小型モータにて構成されるノズル駆動モータ６１に低い電圧の電力を供給させることができ、このノズル駆動モータ６１の製品としての寿命を延ばすことができる。したがって、クリーナ本体１１に複数種類の電圧の充電式バッテリを装着する場合であっても、ノズル駆動モータ６１に好ましい電圧の電力を供給することができる。
【００３８】
つまり、図７に示すように両方の駆動モータ３２，６１に対して充電式バッテリ７０から好ましく電力を供給することができる。より詳しく言えば、クリーナ本体１１に内装されて吸引ファン３３を回転させる通常の大きさの本体駆動モータ３２と、ノズル装置５０に内装されて回転ブラシ体６５を回転させる小型の大きさのノズル駆動モータ６１との、両方の駆動モータに対して好ましく電力を供給することができる。また、上記したハンディクリーナ１０によれば、降圧回路３７を含む制御基板３６は排気風（吸引風）が流れる流路に配置されているので、この排気風（吸引風）を降圧回路３７に当てて冷却することができる。これによって、発熱した降圧回路３７の熱を取り除くことができて、降圧回路３７を好ましい状態に維持することができる。なお、制御基板３６も、この降圧回路３７と同様に、発熱した熱を取り除いて好ましい状態に維持することができる。また、上記したハンディクリーナ１０によれば、降圧回路３７は、各種の配線が集約される制御基板３６に設けられているので、降圧回路３７を制御基板３６と別に設けることを要さない。つまり、降圧回路３７をコンパクトに配設できて、ハンディクリーナ１０全体としての大きさのコンパクト化を図ることができる。また、このハンディクリーナ１０によれば、広く利用される電動工具用のバッテリを充電式バッテリ７０として利用しており、ノズル駆動モータ６１と本体駆動モータ３２との両者に給電できるようにしてある。これによって、クリーナ本来の作用目的を高めることができる上、ハンディクリーナ１０の電源を確保するための利便性も高めることができる。
【００３９】
なお、本発明に係る手持ち式クリーナとしては、上記したハンディクリーナの例に限定されるものではなく、電源として充電式バッテリを利用する構成が含まれればよく、微細な構成については適宜に変更可能とされる。例えば、上記したノズル装置５０の構成や、ハンディクリーナ１０自体の構成にあっては、上記した実施の形態に限定されることなく、適宜の構成を選択することができる。すなわち、上記したハンディクリーナ１０にあっては、本発明に係る電圧変換部の例として降圧回路３７を用いてものを図示して説明するものであった。しかしながら、本発明に係る電圧変換部としては、このような例に限定されることなく、例えば昇圧回路を用いるもので構成されるものであってもよい。つまり、本発明に係る電圧変換部としては、ノズル駆動モータに給電するにあたって充電式バッテリからの供給電力の電圧を変換する回路であればよく、降圧回路や昇圧回路のいずれであってもよい。このように昇圧回路を用いて電圧変換部を構成した場合には、ノズル駆動モータ６１への供給電流を減らすことができるようになる。つまり、配線部材３８をより細くする構成することができ、供給電流の減少によって各所の電気的な損失も減らすこともできる。
【符号の説明】
【００４０】
１０  ハンディクリーナ（手持ち式クリーナ）
１１  クリーナ本体
２１  外装ハウジング
２２  集塵部
２２１  区画部
２２３  吸込み口
２２５  開閉カバー
２２７  押しボタン
２３  連結部（吸込み部）
２３３  支持パイプ部
２３５  係止フック部
２３７  解除ボタン
２４  装置支持部
２５  ハンドル部
２５１  操作部
２５３  オフボタン
２５４  オンボタン
２５５  お知らせランプ
２５７  照明用ランプ
２５９  エラストマ
２６  バッテリ装着部
２６１  スライドレール
２６３  ストラップ
２８  排気口
３１  吸引風発生機構
３２  本体駆動モータ
３２１  モータ軸
３３  吸引ファン
３４  気流ガイド部材
３５  フィルタ部材
３６  制御基板
３７  降圧回路（電圧変換部）
３８  配線部材
３８１  本体配線部材
３８２  延長配線部材
３８３  ノズル配線部材
３９  接続端子
４０  延長パイプ体
４１  被連結部
４２  凹溝部
４３  連結部
４３３  支持パイプ部
４３５  係止フック部
４３７  解除ボタン
５０  ノズル装置
５１  被連結部
５２  凹溝部
５３  装置本体
５４  吸込ハウジング
５６  吸引開口部
６１  ノズル駆動モータ
６２  モータ軸
６５  回転ブラシ体
６５１  基体
６５２  植毛
６７  操作スイッチ
７０  充電式バッテリ
Ｓ  空間
【図１】
2015202332.tif 000003
【図２】
2015202332.tif 000004
【図３】
2015202332.tif 000005
【図４】
2015202332.tif 000006
【図５】
2015202332.tif 000007
【図６】
2015202332.tif 000008
【図７】
2015202332.tif 000009